(57)【要約】【課題】  ハンマー部材によって第２スイッチがオンする際に、その衝撃による振動が第１スイッチに伝わり難くして、第１、第２の各スイッチの動作を安定させることができる電子鍵盤楽器を提供する。【解決手段】  押鍵操作された鍵２によってオン動作する第１スイッチが設けられた第１スイッチ基板１１を鍵盤シャーシ１上に支持する複数の第１支持ボス２５と、鍵２の押鍵操作に伴って回動変位して鍵２にアクション荷重を付与するハンマー部材３によってオン動作する第２スイッチ５が設けられた第２スイッチ基板１２を鍵盤シャーシ１上に支持する複数の第２支持ボス２７とを、互いの各中間部に対応する位置にそれぞれ設けた。従って、第１支持ボス２５と第２支持ボス２７との距離を十分に離すことができるので、ハンマー部材３によって第２スイッチ基板１２が衝撃を受けた際に、その衝撃による振動が第１スイッチ４に伝わり難くすることができる。【選択図】        図１
2011013259.tif 000002
【特許請求の範囲】
【請求項１】
鍵盤シャーシ上に鍵が上下方向に回動可能に配置され、この鍵の下方に対応して配置されたハンマー部材が前記鍵の押鍵操作に伴って回動変位して前記鍵にアクション荷重を付与する電子鍵盤楽器において、
前記鍵が押鍵操作された際に当該鍵によってオン動作する第１スイッチを有する第１スイッチ基板と、この第１スイッチ基板の下方に位置して前記鍵の押鍵操作に伴って回動変位する前記ハンマー部材によってオン動作する第２スイッチを有する第２スイッチ基板と、前記鍵盤シャーシ上に設けられて前記第１スイッチ基板を支持する複数の第１支持部と、前記鍵盤シャーシ上に前記第１支持部よりも低い高さで設けられて前記第２スイッチ基板を支持する複数の第２支持部とを備え、
前記複数の第１支持部と前記複数の第２支持部とは、互いの各中間部に対応する位置にそれぞれ設けられていることを特徴とする電子鍵盤楽器。
【請求項２】
前記複数の第１支持部と前記複数の第２支持部とは、前記鍵の前後方向に位置がずれて設けられ、これにより前記鍵の配列方向に沿って千鳥状に配列されていることを特徴とする請求項１に記載の電子鍵盤楽器。
【請求項３】
前記鍵盤シャーシには、前記第１スイッチ基板の一辺部を係脱可能に係止する複数の第１係合部と、この複数の第１係合部よりも低い位置で前記第２スイッチ基板の一辺部を係脱可能に係止する複数の第２係合部とが設けられていることを特徴とする請求項１または請求項２に記載の電子鍵盤楽器。
【請求項４】
前記複数の第１係合部と前記複数の第２係合部とは、互いの各中間部に対応して前記鍵の前後方向に位置がずれた状態で設けられ、これにより前記鍵の配列方向に沿って千鳥状に配列されていることを特徴とする請求項３に記載の電子鍵盤楽器。
【請求項５】
前記複数の第１支持部と前記複数の第１係合部とは、互いの各中間部に対応して前記鍵の前後方向に位置がずれた状態で設けられ、これにより前記鍵の配列方向に沿って千鳥状に配列されており、前記複数の第２支持部と前記複数の第２係合部とは、互いの各中間部に対応して前記鍵の前後方向に位置がずれた状態で設けられ、これにより前記鍵の配列方向に沿って千鳥状に配列されていることを特徴とする請求項３または請求項４に記載の電子鍵盤楽器。
【発明の詳細な説明】
【技術分野】
【０００１】
この発明は、電子ピアノなどの電子鍵盤楽器に関する。
【背景技術】
【０００２】
従来、電子鍵盤楽器においては、特許文献１に記載されているように、アコースティックピアノの鍵タッチ感に近似した鍵タッチ感を得るために、鍵の下方に重量の重いハンマー部材を上下方向に回動可能に設け、鍵の押鍵操作に伴ってハンマー部材がそれ自身の重量に抗して回動することにより、鍵に所定のアクション荷重を付与するように構成されたものが知られている。
【先行技術文献】
【特許文献】
【０００３】
【特許文献１】特開平０５−７３０２９号公報
【０００４】
この種の電子鍵盤楽器では、同一鍵を連続して押鍵するトリル演奏などの連打演奏を行う際に、鍵およびハンマー部材が回動した後、最終位置から初期位置に回動復帰する前に、再び同じ鍵を押鍵しても、楽音を発音することができるように、スイッチ基板の下面にハンマー部材によってオン動作するハンマースイッチを設けると共に、スイッチ基板の上面に鍵によってオン・オフ動作する鍵スイッチを設けた構造を採用している。
【０００５】
このような電子鍵盤楽器では、鍵が押鍵されて鍵スイッチがオンした後に、ハンマー部材が最終位置に向けて回動変位すると、ハンマースイッチがオンして発音の開始を指示し、このハンマー部材および鍵が最終位置から初期位置に回動復帰する際に、通常の演奏ではハンマースイッチがオフした後に鍵スイッチがオフし、この鍵スイッチのオフにより楽音の発音を停止させて消音するようになっている。
【０００６】
また、この電子鍵盤楽器では、同一鍵を連続して押鍵する連打演奏の際には、鍵が押鍵されて楽音の発音が開始された後に、ハンマー部材が最終位置から初期位置に回動復帰する際に、ハンマースイッチをオフにした後に、鍵スイッチがオフにならず、オン状態のままで、再び同じ鍵が押鍵されると、楽音の発音が停止されずに、ハンマースイッチが再びオンするので、同一鍵を連続して押鍵するトリル演奏などの連打演奏を行っても、楽音を連続して発音することができるようになっている。
【発明の概要】
【発明が解決しようとする課題】
【０００７】
しかしながら、このような従来の電子鍵盤楽器においては、スイッチ基板の下面にハンマー部材によってオン動作するハンマースイッチを設けると共に、スイッチ基板の上面に鍵によってオン・オフ動作する鍵スイッチを設けた構成であるから、鍵が押鍵されて鍵スイッチがオンした後に、ハンマー部材が最終位置に向けて回動変位してハンマースイッチがオンする際に、そのハンマースイッチに対するハンマー部材の衝撃がスイッチ基板の鍵スイッチに伝わり、鍵スイッチが一瞬オフになるという、所謂チャタリングを起こすという問題がある。
【０００８】
この発明が解決しようとする課題は、ハンマー部材によって第２スイッチがオンする際に、その衝撃による振動が第１スイッチに伝わり難くして、第１、第２の各スイッチの動作を安定させることができる電子鍵盤楽器を提供することである。
【課題を解決するための手段】
【０００９】
この発明は、上記課題を解決するために、次のような構成要素を備えている。
請求項１に記載の発明は、鍵盤シャーシ上に鍵が上下方向に回動可能に配置され、この鍵の下方に対応して配置されたハンマー部材が前記鍵の押鍵操作に伴って回動変位して前記鍵にアクション荷重を付与する電子鍵盤楽器において、前記鍵が押鍵操作された際に当該鍵によってオン動作する第１スイッチを有する第１スイッチ基板と、この第１スイッチ基板の下方に位置して前記鍵の押鍵操作に伴って回動変位する前記ハンマー部材によってオン動作する第２スイッチを有する第２スイッチ基板と、前記鍵盤シャーシ上に設けられて前記第１スイッチ基板を支持する複数の第１支持部と、前記鍵盤シャーシ上に前記第１支持部よりも低い高さで設けられて前記第２スイッチ基板を支持する複数の第２支持部とを備え、前記複数の第１支持部と前記複数の第２支持部とは、互いの各中間部に対応する位置にそれぞれ設けられていることを特徴とする電子鍵盤楽器である。
【００１０】
請求項２に記載の発明は、前記複数の第１支持部と前記複数の第２支持部とが、前記鍵の前後方向に位置がずれて設けられ、これにより前記鍵の配列方向に沿って千鳥状に配列されていることを特徴とする請求項１に記載の電子鍵盤楽器である。
【００１１】
請求項３に記載の発明は、前記鍵盤シャーシに、前記第１スイッチ基板の一辺部を係脱可能に係止する複数の第１係合部と、この複数の第１係合部よりも低い位置で前記第２スイッチ基板の一辺部を係脱可能に係止する複数の第２係合部とが設けられていることを特徴とする請求項１または請求項２に記載の電子鍵盤楽器である。
【００１２】
請求項４に記載の発明は、前記複数の第１係合部と前記複数の第２係合部とが、互いの各中間部に対応して前記鍵の前後方向に位置がずれた状態で設けられ、これにより前記鍵の配列方向に沿って千鳥状に配列されていることを特徴とする請求項３に記載の電子鍵盤楽器である。
【００１３】
請求項５に記載の発明は、前記複数の第１支持部と前記複数の第１係合部とが、互いの各中間部に対応して前記鍵の前後方向に位置がずれた状態で設けられ、これにより前記鍵の配列方向に沿って千鳥状に配列されており、前記複数の第２支持部と前記複数の第２係合部とは、互いの各中間部に対応して前記鍵の前後方向に位置がずれた状態で設けられ、これにより前記鍵の配列方向に沿って千鳥状に配列されていることを特徴とする請求項３または請求項４に記載の電子鍵盤楽器である。
【発明の効果】
【００１４】
この発明によれば、第１スイッチ基板を支持する第１支持部と第２スイッチ基板を支持する第２支持部との距離を十分に離すことができるので、鍵が押鍵されて第１スイッチがオンした後に、ハンマー部材が最終位置に向けて回動変位して第２スイッチがオンする際に、この第２スイッチを有する第２スイッチ基板がハンマー部材によって衝撃を受けても、その衝撃による振動が第１スイッチ基板に伝わり難くい。このため、ハンマー部材によって第２スイッチがオンする際に、その衝撃による振動が第１スイッチに伝わり難くすることができ、これにより第１、第２の各スイッチの動作を安定させることができる。
【図面の簡単な説明】
【００１５】
【図１】この発明を適用した電子鍵盤楽器の実施形態１における要部を示した断面図である。
【図２】図１の電子鍵盤楽器において鍵盤シャーシ上に第１、第２の各スイッチ基板を取り付けた状態を示した要部の平面図である。
【図３】図２の電子鍵盤楽器において鍵盤シャーシ上に第１スイッチ基板のみを取り付けた状態を示した要部の平面図である。
【図４】図３のＡ−Ａ矢視における要部を示した拡大断面図である。
【図５】図２の電子鍵盤楽器において鍵盤シャーシ上に第２スイッチ基板のみを取り付けた状態を示した要部の平面図である。
【図６】図５のＢ−Ｂ矢視における要部を示した拡大断面図である。
【図７】図１の電子鍵盤楽器において鍵が押鍵操作されてハンマー部材が回動した際に第１スイッチのみがオンした状態を示した断面図である。
【図８】図７の状態で更に鍵が押されてハンマー部材が第２スイッチをオンさせた状態を示した断面図である。
【図９】この発明を適用した電子鍵盤楽器の実施形態２における要部を示した断面図である。
【図１０】図９の電子鍵盤楽器において第１スイッチ基板の支持構造を示した要部の拡大断面図である。
【図１１】図９の電子鍵盤楽器において第２スイッチ基板の支持構造を示した要部の拡大断面図である。
【発明を実施するための形態】
【００１６】
（実施形態１）
以下、図１〜図８を参照して、この発明を適用した電子鍵盤楽器の実施形態１について説明する。
この電子鍵盤楽器は、図１に示すように、合成樹脂製の鍵盤シャーシ１と、この鍵盤シャーシ１上に上下方向に回動可能に配置された複数の鍵（白鍵と黒鍵、ただしこの実施形態１では１つの白鍵について説明する。）２と、これら複数の鍵２にそれぞれアクション荷重を付与する複数のハンマー部材（ただし、この実施形態１では１つのみを示す）３と、複数の鍵２によってそれぞれオン動作する複数の第１スイッチ４を有する第１スイッチ基板１１と、複数のハンマー部材３によってそれぞれオン動作する複数の第２スイッチ５を有する第２スイッチ基板１２とを備えている。
【００１７】
鍵盤シャーシ１は、図１に示すように、楽器本体（図示せず）の底板１ａ上に配置されるものであり、その前端部（図１では右端部）に前脚部６が底部から上方に突出して形成されている。この前脚部６の上部には、鍵２の横振れを防ぐための鍵ガイド部６ａが設けられている。また、この前脚部６の後方（図１では左方）には、図１に示すように、立上り部７が鍵ガイド部６ａよりも少し低い高さで形成されている。
【００１８】
この立上り部７には、後述するハンマー部材３の前部側が挿入して上下方向に移動するためのハンマー挿入用の開口部７ａが形成されている。この立上り部７の上部には、ハンマー載置部８が後部側（図１では左側）に向けてほぼ水平に形成されている。このハンマー載置部８の下部には、図１に示すように、ハンマー部材３を支持するためのハンマー支持部９が下方に突出して設けられている。このハンマー支持部９には、ハンマー部材３を回動可能に支持する支持軸９ａが設けられている。
【００１９】
また、ハンマー載置部８の後部側には、図１に示すように、基板搭載部１０が形成されている。この基板搭載部１０は、ハンマー載置部８の後端部から垂下された側壁部１０ａと、この側壁部１０ａの下部から後方に向けて水平に延びた搭載部１０ｂとを備えている。この基板搭載部１０は、後述するように複数の第１スイッチ４が設けられた第１スイッチ基板１１と、複数の第２スイッチ５が設けられた第２スイッチ基板１２とが、上下に対向して取り付けられるように構成されている。
【００２０】
さらに、鍵盤シャーシ１の後部、つまり基板搭載部１０の後部側には、図１に示すように、鍵載置部１３がハンマー載置部８よりも少し高い高さで形成されている。この鍵載置部１３の上面には、鍵支持部１４が形成されている。この鍵支持部１４には、鍵２の後端部を上下方向に回動可能に支持する支持軸１４ａが設けられている。また、この鍵載置部１３の後端部には、図１に示すように、鍵盤シャーシ１の後端部を支持する後脚部１５が垂下されている。
【００２１】
一方、鍵２は、図１に示すように、その後端部（図１では左端部）が鍵盤シャーシ１の鍵載置部１３上に設けられた鍵支持部１４の支持軸１４ａに上下方向に回動可能に支持されている。この鍵２の中間部には、鍵盤シャーシ１の基板搭載部１０に配置された後述する第１スイッチ基板１１の第１スイッチ４を押圧するためのスイッチ押圧部１６が下側に突出して形成されている。
【００２２】
また、鍵２のスイッチ押圧部１６の前側（図１では右側）に位置する鍵２の箇所には、図１に示すように、ハンマーガイド部１７が鍵２の下側に向けて突出して形成されている。このハンマーガイド部１７は、後述するハンマー部材３の前端部に位置する鍵当接部２１が摺動可能に挿入し、この挿入した鍵当接部２１を鍵２の押鍵操作に応じて上下方向に変位させるように構成されている。
【００２３】
ハンマー部材３は、図１に示すように、ハンマー本体１８と、このハンマー本体１８の後部（図１では左側部）に設けられた錘部１９と、ハンマー本体１８の前側上部（図１では右側上部）に設けられてハンマー本体１８の回動中心となる合成樹脂製の回動支持部２０と、ハンマー本体１８の前端部(図１では右端部)に設けられた鍵当接部２１と、ハンマー本体１８の中間部における上部に設けられて後述する第２スイッチ基板１２の第２スイッチ５を押圧するためのスイッチ押圧部２２とを備えている。
【００２４】
このハンマー部材３は、図１に示すように、ハンマー本体１８の鍵当接部２１を鍵盤シャーシ１の下側から立上り部７の開口部７ａに挿入させて、ハンマー載置部８の前側（図１では右側）に突出させ、この状態でハンマー本体１８の回動支持部２０をハンマー載置部８に設けられたハンマー支持部９の支持軸９ａに回動可能に取り付けることにより、ハンマー本体１８がハンマー支持部９の支持軸９ａを中心に上下方向に回動するように構成されている。
【００２５】
また、このハンマー部材３は、図１に示すように、ハンマー本体１８の回動支持部２０がハンマー支持部９の支持軸９ａに回動可能に取り付けられる際に、ハンマー本体１８の前端部に設けられた鍵当接部２１が鍵２のハンマーガイド部１７に摺動可能に挿入され、この状態で鍵当接部２１が鍵２の押鍵操作に応じてハンマーガイド部１７と共に上下方向に変位することにより、ハンマー支持部９の支持軸９ａを中心にハンマー本体１８を上下方向に回動させるように構成されている。
【００２６】
これにより、ハンマー部材３は、図１に示すように、鍵２が押鍵されていない初期状態のときに、ハンマー本体１８が錘部１９の重量によってハンマー支持部９の支持軸９ａを中心に反時計回りに回動して、ハンマー本体１８の後部が鍵盤シャーシ１の後端下部に設けられたフェルトなどの下限ストッパ２３ａに当接することにより、所定の下限位置に位置規制されるように構成されている。
【００２７】
また、このハンマー部材３は、図７および図８に示すように、鍵２が上方から押鍵されると、鍵２のハンマーガイド部１７によってハンマー本体１８の鍵当接部２１が錘部１９の重量に抗して押し下げられ、これに伴ってハンマー本体１８がハンマー支持部９の支持軸９ａを中心に時計回りに回動することにより、鍵２にアクション荷重を付与し、この後、ハンマー本体１８の後部が鍵盤シャーシ１の鍵載置部１３の下面に設けられたフェルトなどの上限ストッパ２３ｂに当接するように構成されている。
【００２８】
ところで、鍵盤シャーシ１の基板搭載部１０には、図１〜図６に示すように、鍵２によってオンする第１スイッチ４を有する第１スイッチ基板１１と、ハンマー部材３によってオンする第２スイッチ５を有する第２スイッチ基板１２とが、上下方向にに離れて対応した状態でそれぞれ独立して設けられている。
【００２９】
すなわち、第１スイッチ基板１１は、図３および図４に示すように、鍵２の配列方向に沿って細長い帯板状に形成されている。この第１スイッチ基板１１は、その一辺部（図４では右辺部）が鍵盤シャーシ１の基板搭載部１０における側壁部１０ａの上部に形成された複数の第１係合フック２４に係脱可能に係止された状態で、他辺部側（図４では左辺部側）が基板搭載部１０上に形成された複数の第１支持ボス２５上にビス２５ａによって取り付けられている。
【００３０】
第２スイッチ基板１２は、第１スイッチ基板１１と同様、鍵２の配列方向に沿って細長い帯板状に形成されている。この第２スイッチ基板１１は、図５および図６に示すように、その一辺部（図６では左辺部）が鍵盤シャーシ１の基板搭載部１０における第１係合フック２４よりも低い位置、つまり側壁部１０ａの下部に形成された複数の第２係合フック２６に係脱可能に係止されて基板搭載部１０の搭載部１０ｂ上に配置された状態で、他辺部側（図６では右辺部側）が基板搭載部１０上に第１支持ボス２５よりも低い高さで形成された複数の第２支持ボス２７上にビス２７ａによって第１スイッチ基板１１の下方に離れた状態で取り付けられている。
【００３１】
これにより、第１スイッチ基板１１の第１支持ボス２５は、図１に示すように、第２スイッチ基板１２の第２支持ボス２７よりも高く形成されている。また、第１スイッチ基板１１の第１係合フック２４は、第２スイッチ基板１２の第２係合フック２６よりも高い位置、つまり基板搭載部１０の側壁部１０ａの上部に形成されている。このため、第１スイッチ基板１１は、第２スイッチ基板１２の上方に所定間隔Ｓを隔てて配置されている。
【００３２】
すなわち、第１スイッチ基板１１と第２スイッチ基板１２との間隔Ｓは、図１に示すように、第１スイッチ基板１１の第１スイッチ４が鍵２のスイッチ押圧部１６によって押されて第１スイッチ基板１１が下側に撓んだ状態で、第２スイッチ基板１２の第２スイッチ５がハンマー部材３のスイッチ押圧部２２によって押し上げられて第２スイッチ基板１２が上側に撓んだ際に、第１スイッチ基板１１と第２スイッチ基板１２とが互いに接触しない程度の距離に設定されている。
【００３３】
また、第２スイッチ基板１２には、図５に示すように、第１スイッチ基板１１の第１支持ボス２５が挿入する複数の挿入孔２８が第２スイッチ基板１２の他辺部（図５では上辺部）に沿って所定間隔で設けられている。すなわち、この複数の挿入孔２８は、第１支持ボス２５の外径よりも十分に大きく形成され、第１支持ボス２５が第２スイッチ基板１２に接触することなく挿入するように構成されている。
【００３４】
ところで、第１スイッチ基板１１を鍵盤シャーシ１に取り付けるための複数の第１係合フック２４と複数の第１支持ボス２５とは、図３に示すように、互いの各中間部に対応している。すなわち、複数の第１係合フック２４は、複数の第１支持ボス２５間の各中間部に対応する位置に設けられており、複数の第１支持ボス２５は、複数の第１係合フック２４間の各中間部に対応する位置に設けられている。これにより、複数の第１係合フック２４と複数の第１支持ボス２５とは、第１スイッチ基板１１の長手方向つまり鍵２の配列方向に沿って千鳥状に配列された状態で、鍵盤シャーシ１の基板搭載部１０に設けられている。
【００３５】
同様に、第２スイッチ基板１２を鍵盤シャーシ１に取り付けるための複数の第２係合フック２６と複数の第２支持ボス２７とは、図５に示すように、互いの各中間部に対応している。すなわち、複数の第２係合フック２６は、複数の第２支持ボス２７間の各中間部に対応する位置に設けられており、複数の第２支持ボス２７は、複数の第２係合フック２６間の各中間部に対応する位置に設けられている。これにより、複数の第２係合フック２６と複数の第２支持ボス２７とは、第２スイッチ基板１２の長手方向つまり鍵２の配列方向に沿って千鳥状に配列された状態で、鍵盤シャーシ１の基板搭載部１０に設けられている。
【００３６】
また、第１スイッチ基板１１の第１係合フック２４は、図１、図２および図５に示すように、第２スイッチ基板１２の第２係合フック２６よりも鍵盤シャーシ１の前側（図５では右側）にずれた位置に設けられている。また、複数の第２係合フック２６は、図２および図５に示すように、複数の第１係合フック２４間の各中間部に対応する位置に設けられている。これにより、第１、第２の各係合フック２４、２６は、鍵２の配列方向に沿って千鳥状に配列された状態で、鍵盤シャーシ１の基板搭載部１０に設けられている。
【００３７】
さらに、第１スイッチ基板１１の第１支持ボス２５４は、図２、図３および図５に示すように、第２スイッチ基板１２の第２支持ボス２７よりも鍵盤シャーシ１の後側（図５では左側）にずれた位置に設けられている。また、複数の第２支持ボス２７は、図２および図５に示すように、複数の第１支持ボス２５間の各中間部に対応する位置にそれぞれ設けられている。これにより、第１、第２の各支持ボス２５、２７は、第１、第２の各係合フック２４、２６と同様、鍵２の配列方向に沿って千鳥状に配列された状態で、鍵盤シャーシ１の基板搭載部１０に設けられている。
【００３８】
このような第１スイッチ基板１１と第２スイッチ基板１２とを鍵盤シャーシ１に取り付ける場合には、第２スイッチ基板１２を鍵盤シャーシ１に取り付けた後に、第１スイッチ基板１１を鍵盤シャーシ１に取り付ける。すなわち、第２スイッチ基板１２を取り付ける際には、第２スイッチ基板１２に設けられた複数の挿入孔２８に、鍵盤シャーシ１の基板搭載部１０に設けられた複数の第１支持ボス２５をそれぞれ、第２スイッチ基板１２に接触させることなく挿入させる。
【００３９】
この状態で、第２スイッチ基板１２の一辺部を基板搭載部１０の第２係合フック２６に係合させて、第２スイッチ基板１２の他辺部側を第２支持ボス２７上に配置してビス２７ａによって固定する。この後、第１スイッチ基板１１を第２スイッチ基板１２の上方に配置して取り付ける。このときには、第１スイッチ基板１２の一辺部を基板搭載部１０の第１係合フック２４に係合させて、第２スイッチ基板１２の他辺部側を第２スイッチ基板１２の上方に突出した第１支持ボス２５上に配置してビス２５ａによって固定する。これにより、第１スイッチ基板１１が第２スイッチ基板１２の上方に所定間隔Ｓだけ離れて対応した状態で、鍵盤シャーシ１に取り付けられる。
【００４０】
ところで、第１スイッチ基板１１の第１スイッチ４は、図１および図４に示すように、１つの接点部４ａを備え、第１スイッチ基板１１の上面に設けられている。この第１スイッチ４は、第１スイッチ基板１１上に配置されたゴムシートを備えている。このゴムシートには、ドーム状の膨出部が形成されており、このドーム状の膨出部の内部には、１つの接点部４ａが設けられている。この接点部４ａは、ゴムシートの膨出部の内部に設けられた可動接点と、第１スイッチ基板１１上に設けられた固定接点とを備え、可動接点が固定接点に接離可能に接触するように構成されている。
【００４１】
これにより、第１スイッチ４は、図７に示すように、鍵２が押鍵操作されて鍵２のスイッチ押圧部１６によって第１スイッチ基板１１上に設けられたドーム状の膨出部が押圧された際に、ドーム状の膨出部が弾性変形し、その内部に設けられた１つの接点部４ａの可動接点が第１スイッチ基板１１の固定接点に接触することにより、スイッチングしてオン信号を出力するように構成されている。
【００４２】
また、この第１スイッチ４は、鍵２が押鍵操作されて鍵２のスイッチ押圧部１６によってドーム状の膨出部が押圧されてオンした状態で、鍵２が最終位置から初期位置に戻る際に、図１に示すように、１つの接点部４ａの可動接点が固定接点から離れると、オフ信号を出力し、このオフ信号によって音源に対して消音を指示するキーオフデータが得られるように構成されている。
【００４３】
第２スイッチ基板１２の第２スイッチ５は、図１および図６に示すように、２つの接点部５ａを備え、第２スイッチ基板１２の下面に設けられて、鍵盤シャーシ１の基板搭載部１０における搭載部１０ｂの開口部１０ｃを通して基板搭載部１０の下側に突出している。この第２スイッチ５も、第１スイッチ４と同様、第２スイッチ基板１２の下面に配置されたゴムシートを備えている。
【００４４】
このゴムシートには、ドーム状の膨出部が下側に突出して形成されており、このドーム状の膨出部の内部には、２つの接点部５ａ、５ｂが設けられている。この２つの接点部５ａ、５ｂは、ゴムシートの膨出部の内部に設けられた２つの可動接点と、第２スイッチ基板１２の下面に設けられた２つの固定接点とを備え、２つの可動接点がそれぞれ２つの固定接点に接離可能に順次接触するように構成されている。
【００４５】
これにより、第２スイッチ５は、図８に示すように、第２スイッチ基板１２の下面に配置されて基板搭載部１０の下側に突出したゴムシートの膨出部がハンマー部材３のスイッチ押圧部２２によって下側から押圧された際に、膨出部が弾性変形して、その内部に設けられた２つの接点部５ａ、５ｂの各可動接点が、第２スイッチ基板１２の各固定接点に異なるタイミングで順次接触することにより、スイッチングしてオン信号を出力するように構成されている。
【００４６】
すなわち、この第２スイッチ５は、図１および図６に示すように、２つの接点部５ａ、５ｂである各可動接点と各固定接点との間の距離がそれぞれ異なって形成されていることにより、ハンマー部材３のスイッチ押圧部２２によってゴムシートの膨出部が押圧されて弾性変形する際に、一方の接点部５ａがオンした後に他方の接点部５ｂがオンし、これにより２つの接点部５ａ、５ｂが時間差をもって順次スイッチングするように構成されている。
【００４７】
これにより、この第２スイッチ５は、２つの接点部５ａ、５ｂが時間差をもって順次スイッチングすることにより、音源に対して発音の開始を指示するキーオンデータが得られると共に、ハンマー部材３の回動速度、つまり押鍵速度に関するデータであって、楽音の音量や音色などの楽音特性をイニシャル制御するイニシャルタッチデータが得られるように構成されている。
【００４８】
次に、この電子鍵盤楽器において鍵２を押鍵操作したときの作用について説明する。
まず、図１において鍵２を押鍵すると、鍵盤シャーシ１の鍵載置部１３上に設けられた鍵支持部１４の支持軸１４ａを中心に鍵２が時計回りに回動する。このときには、鍵２の前端部が鍵ガイド部７によってガイドされながら下側に移動し、鍵２のハンマーガイド部１７がハンマー部材３の前端部に位置する鍵当接部２１を押し下げる。
【００４９】
これに伴って、ハンマー部材３は、ハンマー本体１８の錘部１９の重量に抗して、回動支持部２０が鍵盤シャーシ１のハンマー載置部８の下面に設けられたハンマー支持部９の支持軸９ａを中心にハンマー本体１８と共に時計回りに回動するので、ハンマー部材３が鍵２にアクション荷重を付与する。このときには、図７に示すように、鍵２のスイッチ押圧部１６が第１スイッチ基板１１の第１スイッチ４を押圧してオン信号を出力し、ハンマー部材３のスイッチ押圧部２２が第２スイッチ基板１２の第２スイッチ５に接近する。
【００５０】
そして、鍵２が更に押し下げられてハンマー部材３が更に時計回りに回動すると、図８に示すように、鍵２のスイッチ押圧部１６が第１スイッチ基板１１の第１スイッチ４を押圧し続けてオンさせた状態で、ハンマー部材３のスイッチ押圧部２２が第２スイッチ基板１２の第２スイッチ５を押圧する。
【００５１】
このときには、第２スイッチ５の２つの接点部５ａ、５ｂが時間差をもって順次スイッチングするので、音源に対して発音の開始を指示するキーオンデータが得られると共に、ハンマー部材３の回動速度、つまり押鍵速度に関するデータであって、楽音の音量や音色などの楽音特性をイニシャル制御するイニシャルタッチデータが得られる。この得られたキーオンデータとイニシャルタッチデータとにより、楽音が発音される。
【００５２】
このように、鍵２のスイッチ押圧部１６が第１スイッチ基板１１の第１スイッチ４を上方から押圧した状態で、図８に示すように、ハンマー部材３のスイッチ押圧部２２が第２スイッチ基板１２の第２スイッチ５を下方から押圧してオンさせるときに、ハンマー部材３によって第２スイッチ基板１２に衝撃が加わるが、その衝撃が第１スイッチ基板１１にほとんど伝わることがない。
【００５３】
すなわち、第１スイッチ基板１１は、鍵盤シャーシ１の基板搭載部１０に独立して設けられた第１係合フック２４と第１支持ボス２５とによって保持されており、第２スイッチ基板１２は、鍵盤シャーシ１の基板搭載部１０に独立して設けられた第２係合フック２６と第２支持ボス２７とによって第１スイッチ基板１１から下側に離れて保持されているので、ハンマー部材３によって第２スイッチ基板１２が衝撃を受けても、その衝撃が第１スイッチ基板１１に伝わり難い。
【００５４】
また、第１スイッチ基板１１の第１スイッチ４が鍵２のスイッチ押圧部１６によって上方から押圧されて第１スイッチ基板１１が下側に撓んだ状態で、第２スイッチ基板１２の第２スイッチ５がハンマー部材３のスイッチ押圧部２２によって押し上げられて上側に撓んでも、第１スイッチ基板１１が第２スイッチ基板１２の上方に所定間隔Ｓだけ離れているので、第２スイッチ基板１２が第１スイッチ基板１１に接触することがない。
【００５５】
このため、第２スイッチ基板１２に対するハンマー部材３の衝撃が第１スイッチ基板１１に伝わり難いので、第１スイッチ基板１１に設けられた第１スイッチ４が鍵２のスイッチ押圧部１６によって押圧されてオンした状態であっても、第１スイッチ４が一瞬オフになるという、所謂チャタリングを起こすことがない。
【００５６】
この後、ハンマー部材３および鍵２が、回動した最終位置から初期位置に戻る際には、ハンマー部材３が、ハンマー本体１８の錘部１９の重量によって、回動支持部２０を支持するハンマー支持部９の支持軸９ａを中心に反時計回りに回動すると共に、このハンマー部材３の回動に伴って鍵２が鍵支持部１４の支持軸１４ａを中心に反時計回りに回動する。このときに、図７に示すように、まず、ハンマー部材３のスイッチ押圧部２２が第２スイッチ５から離れて第２スイッチ５をオフにする。
【００５７】
この後、通常演奏の場合には、図１に示すように、ハンマー部材３および鍵２が初期位置に戻るので、鍵２のスイッチ押圧部１６が第１スイッチ４から離れ、第１スイッチ４がオフになってオフ信号を出力する。この第１スイッチ４のオフ信号によって楽音の発音が停止されて消音される。また、通常演奏ではなく、同一の鍵２を連続して押鍵する連打演奏の場合には、ハンマー部材３および鍵２が初期位置に復帰する途中で、同じ鍵２が再び押鍵される。
【００５８】
このときには、図７に示すように、ハンマー部材３のスイッチ押圧部２２が第２スイッチ５から離れて第２スイッチ５がオフになった状態で、鍵２のスイッチ押圧部１６が第１スイッチ４を押圧して第１スイッチ４をオンさせ続けた状態で、同じ鍵２が再び押鍵される。このため、楽音の発音が停止されずに、第２スイッチ５がハンマー部材３のスイッチ押圧部２２によって再び押されてオンするので、連続して楽音が発音される。
【００５９】
このときにも、鍵２のスイッチ押圧部１６が第１スイッチ基板１１の第１スイッチ４を上方から押圧した状態で、図８に示すように、ハンマー部材３のスイッチ押圧部２２が第２スイッチ基板１２の第２スイッチ５を下側から押圧してオンさせるときに、ハンマー部材３によって第２スイッチ基板１２に衝撃が加わっても、その衝撃が第１スイッチ基板１１に伝わることがないので、第１スイッチ４がチャタリングを起こすことがない。
【００６０】
このように、この電子鍵盤楽器によれば、鍵盤シャーシ１上に上下方向に回動可能に配置された鍵２が押鍵操作された際に、その鍵２によってオン動作する第１スイッチ４を有する第１スイッチ基板１１と、鍵２の押鍵操作に伴って回動変位して鍵２にアクション荷重を付与するハンマー部材３によってオン動作する第２スイッチ５を有する第２スイッチ基板１２とを、互いに離して独立させた状態で鍵盤シャーシ１に設けているので、ハンマー部材３によって第２スイッチ５がオンする際に、ハンマー部材３によって第２スイッチ基板１２が衝撃を受けても、その衝撃によって第１スイッチ４が影響を受けないようにすることができる。
【００６１】
すなわち、この電子鍵盤楽器では、鍵２が押鍵されて第１スイッチ４がオンした後に、ハンマー部材３によって第２スイッチ５がオンする際に、ハンマー部材３によって第２スイッチ５を有する第２スイッチ基板１２が衝撃を受けても、第１スイッチ基板１１と第２スイッチ基板１２とが離れた状態でそれぞれ独立していることにより、ハンマー部材３による衝撃が第１スイッチ基板１１に伝わり難い。このため、ハンマー部材３によって第２スイッチ５がオンする際に、その衝撃によって第１スイッチ４が一瞬オフになるというチャタリングを起こすことがなく、第１、第２の各スイッチ４、５のスイッチ動作を安定させることができる。
【００６２】
この場合、第１スイッチ基板１１と第２スイッチ基板１２とは、上下に対応した状態で、その上下方向に所定間隔Ｓを隔てて配置されていることにより、第１スイッチ４が鍵２のスイッチ押圧部１６によって押圧されて、第１スイッチ基板１１が下側に撓んでいる状態で、第２スイッチ基板１２がハンマー部材３のスイッチ押圧部２２によって押し上げられて上側に撓んでも、第２スイッチ基板１２が第１スイッチ基盤１１に接触することがない。このため、ハンマー部材３の衝撃が第１スイッチ基板１１に伝わることがないので、第１スイッチ基板１１の第１スイッチ４が鍵２のスイッチ押圧部１６によって押圧されて第１スイッチ基板１１が下側に撓んでいても、ハンマー部材３による衝撃によって第１スイッチ４がチャタリングを起こすことがない。
【００６３】
また、第１スイッチ基板１１は、鍵盤シャーシ１に独立して設けられた複数の第１支持ボス２５に取り付けられていると共に、この第１スイッチ基板１１の一辺部が鍵盤シャーシ１に設けられた第１係合フック２４に係脱可能に係止されており、また第２スイッチ基板１２は、鍵盤シャーシ１に第１支持ボス２５よりも低い高さで独立して設けられた複数の第２支持ボス２７に取り付けられていると共に、この第２スイッチ基板１２の一辺部が鍵盤シャーシ１における第１係合フック２４よりも低い位置に設けられた第２係合フックに係脱可能に係止されているので、第１、第２の各スイッチ基板１１、１２をそれぞれ独立させて鍵盤シャーシ１に設けることができ、これによっても第２スイッチ基板１２がハンマー部材３によって衝撃を受けても、その衝撃が第１スイッチ基板１１に伝わり難くすることができる。
【００６４】
さらに、第１スイッチ基板１１の一辺部が鍵盤シャーシ１に設けられた第１係合フック２４に係脱可能に係止されているので、第１スイッチ基板１１の振動を吸収しやすくすることができ、また第２スイッチ基板１２の一辺部が鍵盤シャーシ１に設けられた第２係合フックに係脱可能に係止されているので、第２スイッチ基板１２の振動を吸収しやすくすることができるほか、第１スイッチ基板１１と第２スイッチ基板１２とのビス止め箇所を削減することができると共に、第１スイッチ基板１１の一辺部と第２スイッチ基板１２の一辺部とを容易に鍵盤シャーシ１に対して固定することができ、これにより第１スイッチ基板１１と第２スイッチ基板１２との組み立て作業性を向上させることができる。
【００６５】
また、この電子鍵盤楽器では、鍵盤シャーシ１上に設けられて第１スイッチ基板１１を支持する複数の第１支持ボス２５と、鍵盤シャーシ１上に第１支持ボス２５よりも低い高さで設けられて第２スイッチ基板１２を支持する複数の第２支持ボス２７とが、互いの各中間部に対応する位置にそれぞれ設けられていることにより、第１支持ボス２５と第２支持ボス２７との各距離を十分に離すことができる。このため、ハンマー部材３によって第２スイッチ基板１２が衝撃を受けた際に、その衝撃による振動が第１スイッチ４に伝わり難くすることができ、これによっても第１、第２の各スイッチ４、５の動作を安定させることができる。
【００６６】
この場合、複数の第１支持ボス２５と複数の第２支持ボス２７とは、鍵２の前後方向に位置がずれて設けられ、これにより鍵２の配列方向に沿って千鳥状に配列されているので、複数の第１支持ボス２５と複数の第２支持ボス２７とを互いの中間位置に単に設けた場合に比べて、第１支持ボス２５と第２支持ボス２７との距離を更に長くすることができ、これによりハンマー部材３によって第２スイッチ基板１２が衝撃を受けた際に、その衝撃による振動が、より一層、第１スイッチ４に伝わり難くすることができる。
【００６７】
また、第１スイッチ基板１１の一辺部を係脱可能に係止する複数の第１係合フック２４と、この複数の第１係合フック２４よりも低い位置で第２スイッチ基板１２の一辺部を係脱可能に係止する複数の第２係合フック２６とが、互いの各中間部に対応して鍵２の前後方向に位置がずれた状態で、鍵盤シャーシ１にそれぞれ設けられ、これにより鍵２の配列方向に沿って千鳥状に配列されているので、第１係合フック２４と第２係合フック２６との各距離を十分に長く離すことができ、これによってもハンマー部材３によって第２スイッチ基板１２が衝撃を受けた際に、その衝撃による振動が第１スイッチ４に伝わり難くすることができる。
【００６８】
さらに、複数の第１支持ボス２５と複数の第１係合フック２４とは、互いの各中間部に対応して鍵２の前後方向に位置がずれた状態で設けられ、これにより鍵２の配列方向に沿って千鳥状に配列されているので、複数の第１支持ボス２５と複数の第１係合フック２４とによって効率良く第１スイッチ基板１１の取付強度を確保することができる。また、複数の第２支持ボス２７と複数の第２係合フック２６とが、互いの各中間部に対応して鍵２の前後方向に位置がずれた状態で設けられ、これにより鍵２の配列方向に沿って千鳥状に配列されているので、複数の第２支持ボス２７と複数の第２係合フック２６とによって第２スイッチ基板１２の取付強度を確保することができる。
【００６９】
また、この電子鍵盤楽器によれば、第１スイッチ４が１つの接点部４ａを備えており、第２スイッチ５が異なるタイミングで順次オン動作する２つの接点部５ａ、５ｂを備えているので、鍵２が押鍵されて第１スイッチ４がオンした後に、ハンマー部材３によって第２スイッチ５がオンする際に、この第２スイッチ５の２つの接点部５ａ、５ｂが異なるタイミングで時間差をもって順次オンし、これにより音源に対して発音の開始を指示するキーオンデータと、ハンマー部材３の回動速度に応じて楽音の音量や音色などの楽音特性をイニシャル制御するイニシャルタッチデータと、を得ることができるので、楽音を良好に発音することができる。
【００７０】
この場合、鍵２が押された後に初期位置に復帰する際に、第１スイッチ４の接点部４ａがオフになることにより、楽音の発音を停止させる消音データを得ることができるので、通常演奏の際に、第１スイッチ４によって楽音を消音することができるほか、同一の鍵２を連続して押鍵する連打演奏の場合には、ハンマー部材３のスイッチ押圧部２２が第２スイッチから離れて第２スイッチ５がオフになった後に、鍵２のスイッチ押圧部１６が第１スイッチ４をオンさせて楽音が発音されている状態で、再び同じ鍵２が押鍵されると、楽音の発音が停止されずに、第２スイッチ５がハンマー部材３のスイッチ押圧部２２によって再び押されてオンすることにより、連続して楽音を発音することができる。
【００７１】
（実施形態２）
次に、図９〜図１１を参照して、この発明を電子鍵盤楽器に適用した実施形態２について説明する。なお、図１〜図８に示された実施形態１と同一部分には同一符号を付して説明する。
この電子鍵盤楽器は、図９に示すように、第１スイッチ基板１１と第２スイッチ基板１２とを鍵盤シャーシ１に対して取り付けるための取付構造が実施形態１と異なる構成であり、これ以外は実施形態１と同じ構成になっている。
【００７２】
この場合にも、鍵盤シャーシ１の基板搭載部１０における側壁部１０ａの上部には、第１スイッチ基板１１の一辺部（図９では右辺部）を係脱可能に係止する複数の第１係合フック２４が設けられている。また、鍵盤シャーシ１の基板搭載部１０上には、第１スイッチ基板１１の他辺部側（図９では左辺部側）をビス２５ａによって取り付けるための複数の第１支持ボス２５が設けられている。
【００７３】
そして、第１スイッチ基板１１は、図１０に示すように、その一辺部（図１０では右辺部）がゴムなどの第１緩衝部材３０を介して第１係合フック２４に係止されていると共に、他辺部側（図１０では左辺部側）がゴムなどの第２緩衝部材３１を介して第１支持ボス２５上にビス２５ａによって取り付けられている。この場合、第１緩衝部材３０は、断面がコ字形状に形成され、第１係合フック２４に対応する箇所の第１スイッチ基板１１の一辺部を包み込むように形成されている。また、第２緩衝部材３１は、第１支持ボス２５に対応する箇所の第１スイッチ基板１１の上下両面に配置されている。
【００７４】
同様に、鍵盤シャーシ１の基板搭載部１０における側壁部１０ａの下部には、第２スイッチ基板１２の一辺部（図９では右辺部）を係脱可能に係止する複数の第２係合フック２６が設けられている。また、鍵盤シャーシ１の基板搭載部１０上には、第２スイッチ基板１２の他辺部側（図９では左辺部側）をビス２７ａによって取り付けるための複数の第２支持ボス２７が設けられている。
【００７５】
そして、第２スイッチ基板１２は、図１１に示すように、その一辺部（図１１では右辺部）がゴムなどの第３緩衝部材３２を介して第２係合フック２６に係止されていると共に、他辺部側（図１１では左辺部側）がゴムなどの第４緩衝部材３３を介して第２支持ボス２７上にビス２７ａによって取り付けられている。この場合にも、第３緩衝部材３２は、断面がコ字形状に形成され、第２係合フック２６に対応する箇所の第２スイッチ基板１２の一辺部を包み込むように形成されている。また、第４緩衝部材３３は、第２支持ボス２７に対応する箇所の第２スイッチ基板１２の上下両面に配置されている。
【００７６】
このような電子鍵盤楽器によれば、実施形態１と同様の作用効果あるほか、第１スイッチ基板１１が第１緩衝部材３０を介して第１係合フック２４に係止されていると共に、第２緩衝部材３１を介して第１支持ボス２５にビス止されており、第２スイッチ基板１２が第３緩衝部材３２を介して第２係合フック２６に係止されていると共に、第４緩衝部材３３を介して第２支持ボス２７にビス止されているので、第２スイッチ基板１２がハンマー部材３によって衝撃を受けた際に、第３、第４の各緩衝部材３２、３３によって第２スイッチ基板１２に対する衝撃を緩衝することができると共に、第２スイッチ基板１２が受けた衝撃が第１スイッチ基板１１に伝わるのを更に第１、第２の各緩衝部材３０、３１によって緩衝することができる。
【符号の説明】
【００７７】
１  鍵盤シャーシ
２  鍵
３  ハンマー部材
４  第１スイッチ
４ａ  １つの接点部
５  第２スイッチ
５ａ、５ｂ  ２つの接点部
１０  基板搭載部
１１  第１スイッチ基板
１２  第２スイッチ基板
２４  第１係合フック
２５  第１支持ボス
２６  第２係合フック
２７  第２支持ボス
３０〜３３  第１〜第４の各緩衝部材
Ｓ  第１スイッチ基板と第２スイッチ基板との間隔
【図１】
2011013259.tif 000003
【図２】
2011013259.tif 000004
【図３】
2011013259.tif 000005
【図４】
2011013259.tif 000006
【図５】
2011013259.tif 000007
【図６】
2011013259.tif 000008
【図７】
2011013259.tif 000009
【図８】
2011013259.tif 000010
【図９】
2011013259.tif 000011
【図１０】
2011013259.tif 000012
【図１１】
2011013259.tif 000013